【手続補正書】
【提出日】平成28年3月3日(2016.3.3)
【手続補正１】
【補正対象書類名】特許請求の範囲
【補正対象項目名】全文
【補正方法】変更
【補正の内容】
【特許請求の範囲】
【請求項１】
無線通信方法であって、
リソース開始オフセットを含むシグナリング情報を受信するステップと、
少なくとも一つの制御チャネルエレメント（ＣＣＥ）を使用する拡張物理ダウンリンク制御チャネル（ＥＰＤＣＣＨ）を通して、ハイブリッド自動反復要求（ＨＡＲＱ）肯定応答（ＡＣＫ）フィードバックのためのリソースオフセットを含むダウンリンク制御情報（ＤＣＩ）を受信するステップと、
前記制御チャネルエレメントのうちの最初の制御チャネルエレメントと、前記ダウンリンク制御情報の前記リソースオフセットと、前記シグナリング情報の前記リソース開始オフセットに基づいて、物理アップリンク制御チャネル（ＰＵＣＣＨ）のリソースを決定するステップと、
前記決定されたリソースを使用する前記物理アップリンク制御チャネルを通してＨＡＲＱ−ＡＣＫ信号を基地局に送信するステップと、を含むことを特徴とする方法。
【請求項２】
前記リソースオフセットは２ビットであることを特徴とする請求項１に記載の方法。
【請求項３】
前記物理アップリンク制御チャネルのリソースは、
前記ＥＰＤＣＣＨの送信タイプが分散送信である場合、前記最初の制御チャネルエレメントから決定される第１のパラメータと前記リソースオフセットから決定される第２のパラメータと前記リソース開始オフセットから決定される第３のパラメータとの和で決定されるインデックスを有することを特徴とする請求項１に記載の方法。
【請求項４】
前記物理アップリンク制御チャネルのリソースは、
前記ＥＰＤＣＣＨの送信タイプが局所的な（localized）送信である場合、前記最初の制御チャネルエレメントから決定される第１のパラメータと、前記ＥＰＤＣＣＨの送信のために使用されるアンテナポートから決定される第２のパラメータと、前記リソースオフセットから決定される第３のパラメータと、前記リソース開始オフセットから決定される第４のパラメータとの和で決定されるインデックスを有することを特徴とする請求項１に記載の方法。
【請求項５】
無線通信方法であって、
リソース開始オフセットを含むシグナリング情報をユーザ端末機（ＵＥ）に送信するステップと、
少なくとも一つの制御チャネルエレメント（ＣＣＥ）を使用する拡張物理ダウンリンク制御チャネル（ＥＰＤＣＣＨ）を通して、ハイブリッド自動反復要求（ＨＡＲＱ）肯定応答（ＡＣＫ）フィードバックのためのリソースオフセットを含むダウンリンク制御情報（ＤＣＩ）を送信するステップと、
前記制御チャネルエレメントのうちの最初の制御チャネルエレメントと、前記ダウンリンク制御情報の前記リソースオフセットと、前記シグナリング情報の前記リソース開始オフセットに基づいて物理アップリンク制御チャネル（ＰＵＣＣＨ）のリソースを決定するステップと、
前記決定されたリソースを使用する前記物理アップリンク制御チャネルを通してＨＡＲＱ−ＡＣＫ信号を前記ユーザ端末機から受信するステップと、を含むことを特徴とする方法。
【請求項６】
前記リソースオフセットは２ビットであることを特徴とする請求項５に記載の方法。
【請求項７】
前記物理アップリンク制御チャネルのリソースは、
前記ＥＰＤＣＣＨの送信タイプが分散送信である場合、前記最初の制御チャネルエレメントから決定される第１のパラメータと前記リソースオフセットから決定される第２のパラメータと前記リソース開始オフセットから決定される第３のパラメータとの和で決定されるインデックスを有することを特徴とする請求項５に記載の方法。
【請求項８】
前記物理アップリンク制御チャネルのリソースは、
前記ＥＰＤＣＣＨの送信タイプが局所的な送信である場合、前記最初の制御チャネルエレメントから決定される第１のパラメータと、前記拡張ＥＰＤＣＣＨの送信のために使用されるアンテナポートから決定される第２のパラメータと、前記リソースオフセットから決定される第３のパラメータと、前記リソース開始オフセットから決定される第４のパラメータとの和で決定されるインデックスを有することを特徴とする請求項５に記載の方法。
【請求項９】
無線通信のためのユーザ端末機（ＵＥ）の装置であって、
リソース開始オフセットを含むシグナリング情報を受信し、少なくとも一つの制御チャネルエレメント（ＣＣＥ）を使用する拡張物理ダウンリンク制御チャネル（ＥＰＤＣＣＨ）を通して、ハイブリッド自動反復要求（ＨＡＲＱ）肯定応答（ＡＣＫ）フィードバックのためのリソースオフセットを含むダウンリンク制御情報（ＤＣＩ）を受信する受信機と、
前記制御チャネルエレメントのうちの最初の制御チャネルエレメントと、前記ダウンリンク制御情報の前記リソースオフセットと、前記シグナリング情報の前記リソース開始オフセットに基づいて物理アップリンク制御チャネル（ＰＵＣＣＨ）のリソースを決定するプロセッサと、
前記決定されたリソースを使用する前記物理アップリンク制御チャネルを通してＨＡＲＱ−ＡＣＫ信号を基地局に送信する送信機と、を含むことを特徴とする装置。
【請求項１０】
前記リソースオフセットは２ビットであることを特徴とする請求項９に記載の装置。
【請求項１１】
前記物理アップリンク制御チャネルのリソースは、
前記ＥＰＤＣＣＨの送信タイプが分散送信である場合、前記最初の制御チャネルエレメントから決定される第１のパラメータと前記リソースオフセットから決定される第２のパラメータと前記リソース開始オフセットから決定される第３のパラメータとの和で決定されるインデックスを有することを特徴とする請求項９に記載の装置。
【請求項１２】
前記物理アップリンク制御チャネルのリソースは、
前記ＥＰＤＣＣＨの送信タイプが局所的な送信である場合、前記最初の制御チャネルエレメントから決定される第１のパラメータと、前記ＥＰＤＣＣＨの送信のために使用されるアンテナポートから決定される第２のパラメータと、前記リソースオフセットから決定される第３のパラメータと、前記リソース開始オフセットから決定される第４のパラメータとの和で決定されるインデックスを有することを特徴とする請求項９に記載の装置。
【請求項１３】
無線通信のための基地局の装置であって、
リソース開始オフセットを含むシグナリング情報をユーザ端末機（ＵＥ）に送信し、少なくとも一つの制御チャネルエレメント（ＣＣＥ）を使用する拡張物理ダウンリンク制御チャネル（ＥＰＤＣＣＨ）を通して、ハイブリッド自動反復要求（ＨＡＲＱ）肯定応答（ＡＣＫ）フィードバックのためのリソースオフセットを含むダウンリンク制御情報（ＤＣＩ）を送信する送信機と、
前記制御チャネルエレメントのうちの最初の制御チャネルエレメントと、前記ダウンリンク制御情報の前記リソースオフセットと、前記シグナリング情報の前記リソース開始オフセットに基づいて物理アップリンク制御チャネル（ＰＵＣＣＨ）のリソースを決定するプロセッサと、
前記決定されたリソースを使用する前記物理アップリンク制御チャネルを通してＨＡＲＱ−ＡＣＫ信号を前記ユーザ端末機から受信する受信機と、を含むことを特徴とする装置。
【請求項１４】
前記リソースオフセットは２ビットであることを特徴とする請求項１３に記載の装置。
【請求項１５】
前記物理アップリンク制御チャネルのリソースは、
前記ＥＰＤＣＣＨの送信タイプが分散送信である場合、前記最初の制御チャネルエレメントから決定される第１のパラメータと前記リソースオフセットから決定される第２のパラメータと前記リソース開始オフセットから決定される第３のパラメータとの和で決定されるインデックスを有することを特徴とする請求項１３に記載の装置。
【請求項１６】
前記物理アップリンク制御チャネルのリソースは、
前記ＥＰＤＣＣＨの送信タイプが局所的な送信である場合、前記最初の制御チャネルエレメントから決定される第１のパラメータと、前記ＥＰＤＣＣＨの送信のために使用されるアンテナポートから決定される第２のパラメータと、前記リソースオフセットから決定される第３のパラメータと、前記リソース開始オフセットから決定される第４のパラメータとの和で決定されるインデックスを有することを特徴とする請求項１３に記載の装置。